(57)【特許請求の範囲】
【請求項１】
リアカバーと、
第１開口部が設けられた前壁と、該前壁から前記リアカバーに向いて延びた側壁と、を有したフロントカバーと、
前記第１開口部に収容された透光性のパネルと、
前記パネルの背面に取り付けられたディスプレイと、
前記側壁の内面から前記側壁の内面に沿う環状に突出して前記第１開口部の背後に第２開口部を規定した突出部であって、前記ディスプレイの側面に面した第１部分と、前記ディスプレイの背面よりも前記リアカバー側に位置した第２部分とを有し、前記パネルの背面を支持した突出部と、
前記突出部の第２部分の内周面に沿って前記第２開口部の内側に取り付けられ、前記ディスプレイの背面を支持する金属プレートと、
を有した電子機器。
【請求項２】
請求項１の記載において、
前記第２部分は、前記金属プレートを支持する電子機器。
【請求項３】
請求項２の記載において、
前記第２部分の内周面は、前記金属プレートを支持する電子機器。
【請求項４】
請求項１乃至請求項３のいずれかの記載において、
前記ディスプレイと前記金属プレートとの間に弾性部をさらに有した電子機器。
【請求項５】
請求項１乃至請求項４のいずれかの記載において、
前記金属プレートは、前記パネルの背面と前記突出部との間に位置した係り部を有した電子機器。
【請求項６】
請求項５の記載において、
前記係り部に取り付けられ、前記係り部と前記リアカバーとの間に位置した部品をさらに有した電子機器。
【請求項７】
請求項１乃至請求項６のいずれかの記載において、
前記ディスプレイは、フレキシブルディスプレイである電子機器。
【請求項８】
請求項１乃至請求項７のいずれかの記載において、
前記金属プレートは、前記第２部分の内周面に面する凸部または凹部を有し、前記第２部分の内周面は、前記金属プレートの凸部または凹部が係合する凹部または凸部を有し、前記金属プレートは、インサート成形によって前記フロントカバーと一体に設けられた電子機器。
【請求項９】
リアカバーと、
第１開口部が設けられた前壁と、該前壁から前記リアカバーに向いて延びた側壁と、を有したフロントカバーと、
前記第１開口部に収容された透光性のパネルと、
前記パネルの背面に取り付けられたディスプレイと、
前記側壁の内面から前記側壁の内面に沿う環状に突出して前記第１開口部の背後に第２開口部を規定した突出部であって、前記パネルの背面を支持した第１部分と、前記ディスプレイの背面よりも前記リアカバー側に位置した第２部分とを有した突出部と、
前記パネルの背面と前記突出部との間に位置した係り部を有するとともに、前記突出部の第２部分の内周面に沿って前記第２開口部の内側に取り付けられ、前記ディスプレイの背面を支持する金属プレートと、
を有した電子機器。
【請求項１０】
請求項９の記載において、
前記係り部に取り付けられ、前記係り部と前記リアカバーとの間に位置した部品をさらに有した電子機器。
【発明の詳細な説明】
【技術分野】
【０００１】
本発明の実施形態は、テレビジョン受像機を含む電子機器に関する。
【背景技術】
【０００２】
表示部が収容された筐体を有した電子機器が提供されている。
【先行技術文献】
【特許文献】
【０００３】
【特許文献１】特開２０１１−１９７９９１号公報
【発明の概要】
【発明が解決しようとする課題】
【０００４】
電子機器は、表示部の保護が要望されている。
【０００５】
本発明の実施形態は、表示部の保護を図ることができるテレビジョン受像機及び電子機器を提供することを目的の一つとする。
【課題を解決するための手段】
【０００６】
一つの実施形態によれば、電子機器は、リアカバーと、フロントカバーと、透光性のパネルと、ディスプレイと、突出部と、金属プレートとを有する。前記フロントカバーは、第１開口部が設けられた前壁と、該前壁から前記リアカバーに向いて延びた側壁とを有する。前記パネルは、前記第１開口部に収容されている。前記ディスプレイは、前記パネルの背面に取り付けられている。前記突出部は、前記側壁の内面から前記側壁の内面に沿う環状に突出して前記第１開口部の背後に第２開口部を規定した突出部であって、前記ディスプレイの側面に面した第１部分と、前記ディスプレイの背面よりも前記リアカバー側に位置した第２部分とを有し、前記パネルの背面を支持する。前記金属プレートは、前記突出部の第２部分の内周面に沿って前記第２開口部の内側に取り付けられ、前記ディスプレイの背面を支持する。
【図面の簡単な説明】
【０００７】
【図１】第１実施形態に係るテレビジョン受像機の正面図。
【図２】図１中に示されたテレビジョン受像機の側面図。
【図３】図１中に示されたテレビジョン受像機の表示ユニットの断面図。
【図４】図３中に示された表示ユニットを分解して示す断面図。
【図５】第２実施形態に係る電子機器の斜視図。
【図６】図５中に示された電子機器の内部を示す平面図。
【図７】図５中に示された電子機器の内部を示す平面図。
【図８】図５中に示された電子機器の断面図。
【図９】図５中に示された電子機器の一例を示す断面図。
【図１０】図９中に示されたリアカバーの細部の一例を示す斜視図。
【図１１】図９中に示されたフロントマスクの細部の一例を示す斜視図。
【図１２】図９中に示されたリアカバーの別の細部の一例を示す斜視図。
【図１３】図９中に示されたフロントマスクの別の細部の一例を示す斜視図。
【図１４】図９中に示されたリアカバーの一例を示す斜視図。
【図１５】図９中に示されたフロントマスクの一例を示す斜視図。
【図１６】図９中に示されたフロントマスクのさらに別の細部の一例を示す斜視図。
【図１７】図９中に示された電子機器の変形例を示す断面図。
【図１８】第３実施形態に係る電子機器の断面図。
【図１９】第４実施形態に係る電子機器の断面図。
【図２０】第５実施形態に係る電子機器の断面図。
【図２１】第６実施形態に係る電子機器の断面図。
【図２２】第７実施形態に係る電子機器の断面図。
【図２３】第８実施形態に係る電子機器の断面図。
【図２４】第９実施形態に係る電子機器の断面図。
【図２５】第１０実施形態に係る電子機器の断面図。
【図２６】第１１実施形態に係る電子機器の断面図。
【発明を実施するための形態】
【０００８】
以下、実施の形態について、図面を参照して説明する。なお本明細書では、テレビジョン受像機及び電子機器について、ユーザが利用する姿勢（ユーザーが表示画面に向かい合う姿勢）を基準に前後左右を定義する。つまり、手前側（ユーザ側、表示画面が露出する側）を前側、ユーザから見て遠い側（表示画面とは反対側）を後側、ユーザから見て左側を左側、ユーザから見て右側を右側と定義する。
【０００９】
さらに、複数の表現が可能な各要素について一つ以上の他の表現の例を付すことがあるが、これは他の表現が付されていない要素について異なる表現がされることを否定するものではないし、例示されていない他の表現がされることを制限するものでもない。
【００１０】
（第１実施形態）  
図１乃至図４は、第１実施形態に係るテレビジョン受像機１を開示している。テレビジョン受像機１は、「電子機器」の一例である。テレビジョン受像機１は、表示ユニット２と、該表示ユニット２を支持したスタンド３（支持部、台）とを有する。スタンド３は、例えば外部載置面Ｓ（載置面、設置面）に置かれ、表示ユニット２を起立した状態に支持する。
【００１１】
図１及び図２に示すように、表示ユニット２は、扁平な箱状の筐体４と、該筐体４に取付けられた（収容された）表示部５とを有する。本実施形態に係る表示部５は、ディスプレイ６と、透光性（透明）のパネル７とを有する。
【００１２】
ディスプレイ６（表示装置、表示モジュール、表示パネル、パネル、表示シート、シート）は、画像や映像が表示される表示画面８を有する。ディスプレイ６の一例は、例えば液晶ディスプレイ（ＬＣＤ，Liquid Crystal Display）、または有機ＥＬディスプレイ（ＯＥＬＤ，Organic Electro-Luminescent Display）である。なお、ディスプレイ６は、これらに限定されるものではなく、種々のディスプレイが広く適用可能である。
【００１３】
図３に示すように、ディスプレイ６は、例えば矩形状の板状である。ディスプレイ６は、前面６ａ（第１面）、背面６ｂ（後面、第２面）、及び側面６ｃ（周面、第３面）を有する。前面６ａは、表示画面８を含む。背面６ｂは、前面６ａとは反対側に位置し、前面６ａと略平行に延びている。側面６ｃは、前面６ａ及び背面６ｂとは交差した方向（例えば略直交した方向）に延びている。側面６ｃは、前面６ａの周端部（端部、縁部）と背面６ｂの周端部（端部、縁部）とを繋いでいる
図３に示すように、パネル７（パネル部）は、ディスプレイ６の前面６ａに面する。パネル７の外形は、例えばディスプレイ６の外形よりも大きい。パネル７の一例は、ディスプレイ６を覆う保護パネル（保護部材、保護シート、シート、パネル）である。パネル７は、例えばディスプレイ６よりも剛性が高い材料で形成されている。本実施形態では、パネル７は、ディスプレイ６の前面６ａに重ねられ、ディスプレイ６の前面６ａに固定されている。
【００１４】
パネル７とディスプレイ６との間には、透光性（透明）の接着部（接着層）が設けられている。接着部の一例は、透光性の両面テープ（ＯＣＡ，Optical Clear Adhesion）である。これにより、ディスプレイ６は、パネル７に支持されている。
【００１５】
本実施形態では、パネル７は、タッチセンサが設けられたタッチパネルである。すなわち、パネル７は、センサ部（操作部、入力部、入力受付部）の一例である。ユーザは、例えばパネル７の表面から入力や操作を行うことができる。
【００１６】
なお、パネル７は、本実施形態のような保護パネルとタッチパネルの両方の機能を有したものに限られず、いずれか一方の機能を有したものでもよい。また、パネル７は、保護パネル及びタッチパネルの機能を有さずに、他の目的で設けられたものでもよい。
【００１７】
図３に示すように、パネル７は、例えば矩形状の板状である。パネル７は、前面７ａ（第１面）、背面７ｂ（後面、第２面）、及び側面７ｃ（周面、第３面）を有する。前面７ａは、テレビジョン受像機１の外部に露出されている。背面７ｂは、前面７ａとは反対側に位置し、前面７ａと略平行に延びている。側面７ｃは、前面７ａ及び背面７ｂとは交差した方向（例えば略直交した方向）に延びている。側面７ｃは、前面７ａの周端部（端部、縁部）と背面７ｂの周端部（端部、縁部）とを繋いでいる
ここで、パネル７の前面７ａは、表示部５の前面を構成する。ディスプレイ６の背面６ｂは、表示部５の背面を構成する。パネル７の側面７ｃ及びディスプレイ６の側面６ｃは、其々、表示部５の側面（周面）の一部を構成する。
【００１８】
図１乃至図３に示すように、筐体４は、前壁１１（第１壁）、背壁１２（後壁、第２壁）、及び側壁１３（周壁、第３壁）を有する。本実施形態に係る前壁１１は、ディスプレイ６の前面６ａよりも前方に位置した部分を含む。
【００１９】
前壁１１は、パネル７及びディスプレイ６の前面６ａ（表示画面８）が露出する第１開口部１４が設けられている。パネル７の側面７ｃ（周面）を覆う枠状に形成されている。換言すれば、パネル７は、第１開口部１４に収容され、第１開口部１４の内側に位置する。パネル７の前面７ａは、例えば前壁１１の表面と略同じ平面上に位置し、前壁１１の表面とひと続きになる。
【００２０】
背壁１２は、前壁１１とは反対側に位置する。背壁１２は、ディスプレイ６の背後に位置し、ディスプレイ６の背面６ｂを覆う。背壁１２は、前壁１１と略平行に延びている。側壁１３は、前壁１１及び背壁１２とは交差した方向（例えば略直交した方向）に延びている。側壁１３は、筐体４の厚さ方向に延びている。側壁１３は、前壁１１と、背壁１２（背壁１２の周端部）とを繋いでいる
図３に示すように、筐体４は、フロントマスク２１（フロントカバー、第１カバー、第１部材）と、リアカバー２２（ベース、第２カバー、第２部材）とを有する。フロントマスク２１及びリアカバー２２は、其々、筐体部材、カバー、覆い部、支持部、保護部、壁、部品、部材の一例である。
【００２１】
フロントマスク２１は、前壁１１と、側壁１３とを有し、ディスプレイ６の側面６ｃを覆う。リアカバー２２は、背壁１２を有し、ディスプレイ６の背面６ｂを覆う。リアカバー２２は、フロントマスク２１に係合する。リアカバー２２がフロントマスク２１に取り付けられることで、筐体４の一例が構成される。本実施形態では、フロントマスク２１及びリアカバー２２は、例えばプラスチック製であるが、これに限定されるものではない。
【００２２】
フロントマスク２１及びリアカバー２２は、其々、外装部材（外郭部材）の一例である。フロントマスク２１及びリアカバー２２は、其々、テレビジョン受像機１の外部に露出され、テレビジョン受像機１の外面（外観面、表面、外部露出面）の一部を構成する。フロントマスク２１は、スタンド３（外部支持部）に取り付けられ、スタンド３に支持される。
【００２３】
図３及び図４に示すように、本実施形態に係るリアカバー２２は、板状に形成されている。リアカバー２２は、前面２２ａ（内面、第１面）、背面２２ｂ（後面、外面、第２面）、及び側面２２ｃ（周面、第３面）を有する。前面２２ａは、筐体４の内部に露出し、ディスプレイ６の背面６ｂに面する。
【００２４】
背面２２ｂは、前面２２ａとは反対側に位置し、筐体４の外部に露出する。背面２２ｂは、前面２２ａと略平行に延びている。側面２２ｃは、前面２２ａ及び背面２２ｂとは交差した方向（例えば略直交した方向）に延びている。側面２２ｃは、筐体４の厚さ方向に延びている。側面２２ｃは、前面２２ａの周端部（端部、縁部）と背面２２ｂの周端部（端部、縁部）とを繋いでいる。
【００２５】
図３に示すように、側壁１３は、前壁１１からリアカバー２２（リアカバー２２の周端部）に向いて延びている。側壁１３の端部は、リアカバー２２の側方に位置し、リアカバー２２の側面２２ｃに面する（側面２２ｃを覆う）。このため、筐体４を側方から見た状態では、リアカバー２２が外部に露出されない。これにより、すっきりとした外観の筐体４が提供される。
【００２６】
図３に示すように、フロントマスク２１は、突出部２４（支持部、張出部、保持部、取付部、リブ、係り部、環状部、枠部）を有する。突出部２４は、フロントマスク２１の一部であり、フロントマスク２１と一体である。突出部２４は、側壁１３の内面１３ａから筐体４の内側に突出している。突出部２４は、側壁１３の内面１３ａからディスプレイ６の側面６ｃに向いて突出している。
【００２７】
突出部２４は、側壁１３の内面１３ａから、ディスプレイ６の背面６ｂと略平行な方向（筐体４の厚さ方向とは略直交した方向）に突出している。突出部２４は、側壁１３の内面１３ａに沿って環状（枠状）に設けられている。突出部２４は、ディスプレイ６の側面６ｃ（周面）を囲む環状に設けられている。突出部２４は、ディスプレイ６の周端部に沿う環状に設けられている。
【００２８】
突出部２４は、側壁１３の内面１３ａ（内周面）の全周に沿って一続きに突出している。これにより、突出部２４は、ディスプレイ６の側面６ｃ（周面）を囲む第２開口部２５を規定している。第２開口部２５は、第１開口部１４よりも小さい。
【００２９】
突出部２４は、前壁１１の表面に対して、例えばパネル７の厚さよりも大きな距離だけ後方に奥まった位置に設けられている。突出部２４は、ディスプレイ６の背面６ｂと略平行な方向で、前壁１１の第１開口部１４の内周面よりも、筐体４の内側（中央側）に突出している。これにより、第１開口部１４の後方に、パネル７が取付可能な取付部（取付面、載置面、載置部）が突出部２４によって設けられている。
【００３０】
突出部２４は、パネル７の周端部の背面７ｂに面し、パネル７の周端部を支持する。突出部２４は、パネル７を支持することで、パネル７を介してディスプレイ６を支持する。突出部２４とパネル７の背面７ｂとの間には、接着部（接着層）が設けられている。接着部は、例えば両面テープである。なお、突出部２４は、パネル７及びディスプレイ６の少なくとも一方を支持すればよい。
【００３１】
図３に示すように、突出部２４は、第１部分２４ａ（第１領域）と、第２部分２４ｂ（第２領域）とを有する。第１部分２４ａ及び第２部分２４ｂは、筐体４の厚さ方向に並ぶとともに、互いに繋がっている。なお、第１部分２４ａと第２部分２４ｂは、互いに離れて設けられてもよい。
【００３２】
第１部分２４ａは、側壁１３の内面１３ａから、ディスプレイ６の側面６ｃに向いて突出している。第１部分２４ａは、ディスプレイ６の側面６ｃに面する。本実施形態では、第１部分２４ａは、ディスプレイ６の側面６ｃを支持する。
【００３３】
なお、「ディスプレイの側面を支持する」とは、第１部分２４ａがディスプレイ６の側面６ｃに常に接して支持する場合に限らない。「ディスプレイの側面を支持する」とは、通常時では第１部分２４ａとディスプレイ６の側面６ｃとの間に隙間があるとともに、例えば組立時または外部から力が加わったときに、第１部分２４ａがディスプレイ６の側面６ｃに接してディスプレイ６の側面６ｃを支持する場合も含む。
【００３４】
図３に示すように、第２部分２４ｂは、第１部分２４ａからリアカバー２２に向いて延びている。すなわち、第２部分２４ｂは、第１部分２４ａから後方に向けて、筐体４の厚さ方向に延びている。第２部分２４ｂは、ディスプレイ６の背面６ｂよりも後方に突出している。すなわち、第２部分２４ｂは、ディスプレイ６の背面６ｂよりもリアカバー２２側に突出している。第２部分２４ｂは、リアカバー２２に、ディスプレイ６の背面６ｂよりも近い。第１部分２４ａ及び第２部分２４ｂは、其々、第２開口部２５を規定する環状（枠状）に設けられている。
【００３５】
なお、例えば駆動基板などが設けられてディスプレイ６の背面６ｂが凹凸を有する場合、「ディスプレイの背面よりもリアカバー側に突出する」とは、ディスプレイ６の背面６ｂのなかで最も窪んだ部分（最もディスプレイの前面６ａの近くに位置した部分）よりも、リアカバー２２側に突出することを意味する。
【００３６】
同様に、「ディスプレイの背面よりも、リアカバーに近い」とは、ディスプレイ６の背面６ｂのなかで最も窪んだ部分（最もディスプレイの前面６ａの近くに位置した部分）よりも、リアカバー２２に近いことを意味する。その他、本明細書でディスプレイ６（または表示部５）の背面６ｂの位置を基準とする場合、ディスプレイ６の背面６ｂのなかで最も窪んだ部分（最もディスプレイの前面６ａの近くに位置した部分）を基準とする。
【００３７】
突出部２４の厚さＴ１（第１部分２４ａの厚さと第２部分２４ｂの厚さとの合計）は、ディスプレイ６の厚さＴ２よりも厚い。換言すれば、ディスプレイ６の厚さＴ２は、突出部２４の厚さＴ１よりも薄い。ディスプレイ６は、第２開口部２５に挿入され（収容され）、第２開口部２５の内側に位置する。ディスプレイ６は、突出部２４の厚さＴ１内に収まっている。
【００３８】
図３に示すように、テレビジョン受像機１は、ディスプレイ６とリアカバー２２との間に支持部２６（支持部材、補強部、補強部材、ミドルプレート、ミドルフレーム、ミドルカバー、板、板部、金属部、部材、部品）を有する。本実施形態では、支持部２６は、例えば金属製の板材（板部材、プレート、シート）であり、筐体４とは別体である。なお、支持部２６は、プラスチック製またはその他の材料で形成されたものでもよい。
【００３９】
図３に示すように、支持部２６の少なくとも一部は、第２開口部２５に挿入され、第２開口部２５の内側に位置する。換言すれば、ディスプレイ６の背面６ｂと突出部２４の第２部分２４ｂの内周面とによって、凹部２７が設けられている。支持部２６は、凹部２７に配置されている。
【００４０】
支持部２６は、ディスプレイ６の背面６ｂの少なくとも中央部分６ｂａ（中央領域、中央部、撓み部、変形部）に面する。支持部２６は、ディスプレイ６の背面６ｂの少なくとも中央部分６ｂａを支持する。本実施形態では、支持部２６は、ディスプレイ６の背面６ｂと略同じまたはこれより大きく形成され、ディスプレイ６の背面６ｂの全面を支持する。なお、支持部２６は、例えばディスプレイ６の背面６ｂの一部領域のみを支持してもよく、さらに言えば中央部分６ｂａを外れた一部領域のみを支持してもよい。
【００４１】
なお、「ディスプレイの背面を支持する」とは、支持部２６がディスプレイ６の背面６ｂに常に接して支持する場合に限らない。「ディスプレイの背面を支持する」とは、通常時では支持部２６とディスプレイ６の背面６ｂとの間に隙間があるとともに、例えば組立時または外部から力が加わったときに、支持部２６がディスプレイ６の背面６ｂに接してディスプレイ６の背面６ｂを支持する場合も含む。
【００４２】
支持部２６は、前面２６ａ（第１面）、背面２６ｂ（後面、第２面）、及び側面２６ｃ（周面、第３面）を有する。前面２６ａは、ディスプレイ６の背面６ｂに面する。前面２６ａは、ディスプレイ６の背面６ｂと略平行に延びている。前面２６ａは、例えば平面（フラット）であり、段差を有しない。背面２６ｂは、前面２６ａとは反対側に位置する。背面２６ｂは、前面２６ａと略平行に延びている。側面２６ｃは、前面２６ａ及び背面２６ｂとは交差した方向（例えば略直交した方向）に延びている。側面２６ｃは、前面２６ａの周端部（端部、縁部）と、背面２６ｂの周端部（端部、縁部）とを繋ぐ。
【００４３】
図３に示すように、第２部分２４ｂは、支持部２６の一部（例えば前面２６ａ）よりも、リアカバー２２側に位置した部分を含む。つまり、第２部分２４ｂは、支持部２６の一部よりもリアカバー２２側に突出している。突出部２４の第２部分２４ｂは、支持部２６の側面２６ｃに面する。突出部２４の第２部分２４ｂは、支持部２６の側面２６ｃに接して、支持部２６を支持する。
【００４４】
なお、「支持部の側面を支持する」とは、突出部２４が支持部２６の側面２６ｃに常に接して支持する場合に限らない。「支持部の側面を支持する」とは、通常時では突出部２４と支持部２６の側面２６ｃとの間に隙間があるとともに、例えば組立時または外部から力が加わったときに、突出部２４が支持部２６の側面２６ｃに接して支持部２６の側面２６ｃを支持する場合も含む。
【００４５】
なお、支持部２６は、突出部２４によって支持されるものに限られない。支持部２６は、例えば筐体４の他の部分、または筐体４内に設けられた部品や部材によって支持されてもよい。
【００４６】
図３に示すように、テレビジョン受像機１は、第１部品２８（第１電子部品、第１機能部品）、及び第２部品２９（第２電子部品、第２機能部品）を有する。第１及び第２部品２８，２９は、其々、例えば回路基板、スピーカ、マイク、コネクタなどであるが、これらに限定されるものではない。第１部品２８は、例えば支持部２６の背面２６ｂに取り付けられる。
【００４７】
図３に示すように、突出部２４とリアカバー２２との間には、第２部品２９が収容される収容部３０（収容空間、空間、収容領域、領域）が設けられている。第２部品２９は、例えばリアカバー２２または突出部２４に取り付けられ、突出部２４とリアカバー２２との間に位置する。
【００４８】
このような構成によれば、表示部５の保護及び筐体４の堅牢性の向上を図ることができる。  
本実施形態では、フロントマスク２１の突出部２４は、表示部５の側面に面した第１部分２４ａと、該第１部分２４ａから表示部５の背面よりもリアカバー２２側に突出した第２部分２４ｂとを有して表示部５を支持する。このような構成によれば、突出部２４によって表示部５の周囲で筐体４の堅牢性を向上させることができ、表示部５の保護を図ることができる。
【００４９】
本実施形態では、表示部５の背面を支持する支持部２６が設けられている。これにより、例えばユーザが操作時に表示部５の前面に加える押圧力の一部を支持部２６によって受けることができる。これにより、表示部５の撓みを抑制し、表示部５をさらに保護することができる。
【００５０】
さらに、本実施形態では、支持部２６の少なくとも一部は、表示部５を支持する突出部２４が規定する第２開口部２５の内側に位置する。つまり、表示部５を支持する筐体構造の内側領域を利用して支持部２６が配置されている。このような構成によれば、高密度実装が実現され、筐体４の薄型化を図ることができる。
【００５１】
さらに、本実施形態では、表示部５を支持する突出部２４の一部によって、支持部２６が支持されている。これにより、支持部２６を支持するための特別な構造を縮小または省略することが可能になる。これにより筐体４のさらなる薄型化や小型化を図ることができる。
【００５２】
本実施形態では、支持部２６の背面２６ｂに第１部品２８が取り付けられている。支持部２６は、剛性を有するため、部品を実装しやすい。そのため、支持部２６を利用して第１部品２８を実装することで、第１部品２８の実装が安定しやすい。このため、テレビジョン受像機１の組立性を向上させることができる。
【００５３】
本実施形態では、突出部２４とリアカバー２２との間には、第２部品２９が収容可能な収容部３０が設けられている。このような構成によれば、突出部２４とリアカバー２２との間に部品を実装することができ、テレビジョン受像機１の高密度実装、薄型化、小型化に寄与することができる。
【００５４】
（第２実施形態）  
次に、図５乃至図８を参照して、第２実施形態に係る電子機器３１について説明する。なお、第１実施形態の構成と同一または類似の機能を有する構成は、同一の符号を付してその説明を省略する。また、下記に説明する以外の構成は、第１実施形態と同じである。なお、第１実施形態における「テレビジョン受像機」との表現は、「電子機器」と読み替える。
【００５５】
図５に示すように、本実施形態に係る電子機器３１は、例えばスレート型ポータブルコンピュータ（スレートＰＣ、タブレット）である。なお、本明細書で説明される全ての実施形態及び変形例に係る構造が適用可能な電子機器は、上記例に限られない。本明細書で説明される全ての実施形態及び変形例は、例えばノート型ポータブルコンピュータ（ノートＰＣ）や、テレビジョン受像機、携帯電話（スマートフォンを含む）、ゲーム機など種々の電子機器に広く適用可能である。
【００５６】
図５に示すように、電子機器３１は、扁平な箱状の筐体４を有する。筐体４には、第１実施形態と同様に、表示部５が取り付けられている（収容されている）。図６及び図７に示すように、筐体４内には、バッテリ３２（セル、電池）、回路基板３３（プリント基板、制御基板、基板）が収容されている。
【００５７】
図６に示すように、本実施形態では、バッテリ３２は、複数のセル３２ａ，３２ｂ，３２ｃと、回路基板３２ｄとを有する。複数のセル３２ａ，３２ｂ，３２ｃは、電気的には直列または並列に接続される。各セル３２ａ，３２ｂ，３２ｃの電極は、回路基板３２ｄに電気的に接続されている。このように、複数のセル３２ａ，３２ｂ，３２ｃが一体化されることで、セル３２ａ，３２ｂ，３２ｃをそれぞれ組み付ける場合に比べて、製造の手間およびコストが低減される。
【００５８】
各セル３２ａ，３２ｂ，３２ｃは、其々、電解質（電解液）や、電極、セパレータ等が収容（封入）された室（収容部）が設けられて独立した単電池である。これらセル３２ａ，３２ｂ，３２ｃは、いずれも、筐体４の厚さ方向に薄い偏平な直方体状（板状、角板状、カード状）に構成されている。
【００５９】
本実施形態では、セル３２ａ，３２ｂ，３２ｃの最外層は、絶縁性かつ可撓性を有したシート状の外皮（皮、膜）であり、硬質なケース（シェル）は設けられていない。本実施形態によれば、ケースを有しない分、バッテリ３２（セル３２ａ，３２ｂ，３２ｃ）がより小型に（薄く）かつより軽量に構成されやすくなる。これにより、筐体４（電子機器３１）の小型化、薄型化、軽量化を図ることができる。
【００６０】
回路基板３３は、ＣＰＵ（central processing unit）等の複数の部品３４（部品、素子、電子部品、電気部品）が実装されている。部品３４には、発熱体が含まれる。図６に示すように、バッテリ３２及び回路基板３３は、筐体４の厚さ方向には重ならず、筐体４の背壁１２に沿って位置されている。このため、バッテリ３２と回路基板３３とが筐体４の厚さ方向に重なる場合に比べて、筐体４の薄型化を図ることができる。
【００６１】
図６に示すように、筐体４には、さらに、カメラ３９ａ（カメラモジュール、カメラユニット、カメラアセンブリ、撮像装置）、スピーカ３９ｂ（スピーカモジュール、スピーカユニット、スピーカアセンブリ、音声出力装置）、コネクタ３９ｃ（コネクタモジュール、コネクタユニット、コネクタアセンブリ、コネクタ装置）、アンテナ３９ｄ（アンテナモジュール、アンテナユニット、アンテナアセンブリ、アンテナ装置）、バイブレータ３９ｅ（振動発生部）が収容されている。バイブレータ３９ｅの一例は、回転シャフトに偏心錘が取り付けられたモータである。
【００６２】
図７に示すように、回路基板３３には、放熱部３９ｆが取り付けられている。放熱部３９ｆの一例は、熱伝導性の高い材料（例えば、アルミニウム合金等の金属材料）で構成された板材である。放熱部３９ｆと部品３４との間には、熱伝導性シート設けられる。これにより、部品３４からの熱の一部は、放熱部３９ｆで拡散される。
【００６３】
図８に示すように、本実施形態に係る筐体４は、第１実施形態と同様に、フロントマスク２１と、リアカバー２２とを有する。フロントマスク２１は、例えば外部載置面Ｓ（載置面、設置面）に接し、外部載置面Ｓによって支持される。外部載置面Ｓは、「外部支持部」の一例である。
【００６４】
図９に示すように、突出部２４は、第１面３５ａ、第２面３５ｂ、及び第３面３５ｃを有する。第１面３５ａ及び第２面３５ｂは、ディスプレイ６の前面６ａと略平行である。第１面３５ａは、筐体４の外側（前側）に向いている。第１面３５ａは、パネル７の周端部の背面７ｂに面する。
【００６５】
第２面３５ｂは、第１面３５ａとは反対側に位置する。第２面３５ｂは、筐体４の内部に向いている。第２面３５ｂは、リアカバー２２に面する。第３面３５ｃは、第１面３５ａと第２面３５ｂとは交差した方向（例えば略直交した方向）に延びている。第３面３５ｃは、筐体４の厚さ方向に延びている。第３面３５ｃは、第１面３５ａと第２面３５ｂとに亘る。第３面３５ｃは、ディスプレイ６の側面６ｃに面する。
【００６６】
本実施形態では、パネル７は、突出部２４の第１面３５ａに固定されている。パネル７と突出部２４の第１面３５ａとの間には、第１接着部（第１接着層）が設けられている。第１接着部は、例えば両面テープである。第１実施形態と同様に、ディスプレイ６は、パネル７の背面７ｂに固定されている。ディスプレイ６とパネル７との間には、第２接着部（第２接着層）が設けられている。第２接着部は、例えば透光性の両面テープ（ＯＣＡ，Optical Clear Adhesion）である。これにより、ディスプレイ６は、パネル７の背面７ｂに吊り下げられている。
【００６７】
第１及び第２接着部の厚さは、其々、例えば0.15ｍｍである。第１及び第２接着部の厚さは、互いに略同じである。これにより、ディスプレイ６は、第２開口部２５の内側に位置する。
【００６８】
本実施形態に係るディスプレイ６は、例えば非常に薄いシートディスプレイである。ディスプレイ６の一例は、プラスチック基板を用いたプラスチック有機ＥＬであり、柔軟性（可撓性）を有する。ディスプレイ６の厚さＴ２の一例は、約０．２５ｍｍであるが、これに限定されるものではない。
【００６９】
フロントマスク２１は、例えば樹脂製または金属製である。樹脂製または金属製のフロントマスク２１は、例えば射出成型、ダイカスト、または削り出しによって製造される。これらの製造方法では、突出部２４の厚さＴ１の薄型化に限界があり、突出部２４の厚さＴ１を例えば約０．４ｍｍよりも薄くすることは困難である。また、突出部２４の強度を確保するためには、一定以上の厚さが必要である。
【００７０】
このため、本実施形態では、突出部２４の厚さＴ１は、ディスプレイ６の厚さＴ２よりも厚い。そのため、突出部２４は、第１実施形態と同様に、ディスプレイ６の側面に面した第１部分２４ａ（第１領域）と、ディスプレイ６の背面６ｂよりもリアカバー２２側に位置した第２部分２４ｂ（第２領域）とを有する。
【００７１】
第１部分２４ａは、側壁１３の内面１３ａから、ディスプレイ６の側面６ｃに向いて突出している。第１部分２４ａは、ディスプレイ６の側面６ｃに面する。第２部分２４ｂは、第１部分２４ａから、ディスプレイ６の背面６ｂよりもリアカバー２２側に突出している。第２部分２４ｂは、リアカバー２２に、ディスプレイ６の背面６ｂよりも近い。第２部分２４ｂは、支持部２６の一部（例えば前面２６ａ）よりも、リアカバー２２側に突出している。ディスプレイ６は、第２開口部２５に挿入され（収容され）、第２開口部２５の内側に位置する。ディスプレイ６は、突出部２４の厚さＴ１内に収まっている。
【００７２】
次に、図９乃至図１６を参照して、本実施形態に係るフロントマスク２１とリアカバー２２の接続構造（係り構造、連結構造）の一例について説明する。なお、本接続構造は、本実施形態に限らず、本明細書に記載の全ての実施形態及び変形例に適用可能である。
【００７３】
図９に示すように、リアカバー２２は、突出部３ｔ（突起）を有する。突出部３ｔは、背壁１２から側壁１３の内面１３ａに沿って突出している。図１０に示すように、突出部３ｔには、係部３１ａ（第一係部）が設けられている。図１１に示すように、フロントマスク２１の側壁１３には、係部３１ｂ（第二係部）が設けられている。係部３１ａと係部３１ｂとは、筐体４の厚さ方向に係わる。本実施形態では、一例として、係部３１ａは貫通孔であり、係部３１ｂは爪部（突出部、突起）である。これら係部３１ａと係部３１ｂとの係わりによって、フロントマスク２１とリアカバー２２とが結合されている。このように、本実施形態では、一例として、比較的簡素な構成によって、フロントマスク２１とリアカバー２２とが結合されている。
【００７４】
また、図１０に示すように、リアカバー２２は、突出部３ｕ（第一突出部）を有する。突出部３ｕは、背壁１２から側壁１３の内面１３ａに沿って突出している。突出部３ｕの筐体内側には、リブ３ｖ（突出部）が設けられている。
【００７５】
また、図１１に示すように、フロントマスク２１は、突出部３ｗ（第二突出部、壁部）を有する。突出部３ｗは、組み立てられた状態で突出部３ｕを側壁１３との間に挟むように、前壁１１から背壁１２に向けて突出している。すなわち、突出部３ｗは、側壁１３との間に突出部３ｕを受け容れ可能な隙間（一例としては突出部３ｕの厚さより僅かに広い隙間）をもって突出している。
【００７６】
さらに、フロントマスク２１は、筐体４の厚さ方向とは交差した方向（例えば側壁１３に沿う方向）で突出部３ｕに係わるように前壁１１から背壁１２に向けて突出した二つの突出部３ｘ（第三突出部、壁部）を有する。すなわち、二つの突出部３ｘは、それらの間に突出部３ｕを受け容れ可能な隙間（一例としては突出部３ｕの幅より僅かに広い隙間）をもって突出している。
【００７７】
本実施形態では、一例として、フロントマスク２１とリアカバー２２とが組み立てられた状態では、突出部３ｕは、側壁１３と突出部３ｗとの間に挟まれるとともに、側壁１３と突出部３ｗとに挟まれる方向とは異なる方向で二つの突出部３ｘによって挟まれる。
【００７８】
図１１に示すように、突出部３ｗ，３ｘ（壁部）は、互いにＣ字状に接続されるとともに、さらに側壁１３に接続されている。すなわち、側壁１３および突出部３ｗ，３ｘによって、筒状（角筒状、環状）の収容部が設けられている。
【００７９】
このような構成により、本実施形態では、一例として、リアカバー２２の突出部３ｕは、フロントマスク２１に対して、側壁１３の厚さ方向や側壁１３に沿う方向の移動が抑制される。このため、本実施形態によれば、一例としては外力等によってフロントマスク２１とリアカバー２２とが互いに接触する縁部で離間するのが、比較的簡素な構成によって抑制されやすい。なお、突出部３ｗには、組み立てられた状態で、リブ３ｖを受け容れる切欠部３ｙ（凹部）が設けられている。よって、突出部３ｗのうち切欠部３ｙの縁部も、突出部３ｘと同様に、第三突出部として機能する。
【００８０】
また、本実施形態では、一例として、図１２及び図１３に示すように、筐体４の例えば４つの角部３ｊにも、突出部３ｕ（第一突出部）、リブ３ｖ、突出部３ｗ（第二突出部）、及び突出部３ｘ（第三突出部）が設けられている。このため、本実施形態によれば、一例としては、筐体４の角部３ｊにおいて、フロントマスク２１とリアカバー２２とが離間しにくい。
【００８１】
また、本実施形態では、一例として、図１２に示すように、背壁１２は、該背壁１２から前壁１１に向けて突出した壁部３０ｅを有する。突出部３ｕは、背壁１２の角部３ｊの縁部に沿って弧状に曲がった状態で壁部３０ｅに接続されている。よって、本実施形態によれば、一例としては、突出部３ｕの剛性および強度がより高まりやすい。また、壁部３０ｅに対して背壁１２の中心側、すなわち、角部３ｊあるいは背壁１２の端部に対して隙間をあけた位置に、壁部３０ｅと並行して弧状に曲がって延びて前壁１１に向けて突出した突出部３０ｆが設けられている。
【００８２】
さらに、背壁１２には、突出部３０ｆ（リブ、第一リブ）と壁部３０ｅとに亘る突出部３０ｇ（リブ、第二リブ）が設けられている。このため、本実施形態によれば、一例としては、電子機器３１の落下時等に他の部分に比べて外力が作用しやすい角部３ｊにおいて、突出部３ｕの剛性及び強度がより高まりやすい。
【００８３】
本実施形態では、一例として、図１４に示すように、リアカバー２１には、該リアカバー２１の端部に沿って、コネクタ３９ｃａ〜３９ｃｄが並べられている。図１６に示すように、側壁１３には、コネクタ３９ｃａ〜３９ｃｄを筐体４外に露出させる開口部３０ｈ〜３０ｋが、貫通孔として設けられている。このため、本実施形態によれば、一例としては、開口部３０ｈ〜３０ｋが切欠等として設けられた場合に比べて、側壁１３の剛性および強度が高まりやすい。
【００８４】
また、図１４において、コネクタ３９ｃａは、カードが着脱可能に装着（接続、保持）されるカード用のコネクタである。コネクタ３９ｃｂ〜３９ｃｄは、別のコネクタが着脱可能に装着（接続、保持）されるコネクタである。コネクタ３９ｃｂ，３９ｃｃ等の端子（突起、支持部、脚部、突出部）は、基板３３の厚さ方向には貫通せず、厚さ方向の途中までの長さを有する。
【００８５】
このため、コネクタ３９ｃｂ，３９ｃｃ等の端子が基板３３と背壁１２との接着（密着）を阻害するのが抑制される。また、コネクタ３９ｃｂ，３９ｃｃ等（の開口部）の基板３３からの高さを適宜に設定することで、コネクタ３９ｃｂ，３９ｃｃ等と側壁１３の中間位置に設けられた部材３２ｃとが、側壁１３に沿う方向に並べる（近付けて配置する）ことができる。
【００８６】
また、コネクタ３９ｃａとコネクタ３９ｃｂとの間、並びにコネクタ３９ｃｃとコネクタ３９ｃｄとの間には、突出部３ｔが設けられている。この突出部３ｔには、係部３１ａが設けられている。貫通孔としての係部３１ａは、開口面積が開放側（出口側、開口端側）に向かうにつれて拡がっている。すなわち、係部３１ａは、出口側の端部に向かうにつれて、貫通孔の中心線から遠ざかる側面（内面、内周面、筒内面）を有している。
【００８７】
また、本実施形態では、一例として、図１６に示されるように、フロントマスク２１の側壁１３には、該フロントマスク２１の端部に沿って延びた部材３０ｍが設けられている。部材３０ｍは、フロントマスク２１より硬い材質（一例としては金属材料）で構成されている。このため、本実施形態によれば、一例としては、側壁１３の剛性および強度がより高まりやすい。
【００８８】
なお、図１６に例示された部材３０ｍは、スピーカモジュール３９ｂに面するとともに、開口部３０ｎが設けられている。この開口部３０ｎにより、スピーカモジュール３９ｂの音が筐体４の外に出やすくなる。すなわち、部材３０ｍは、スピーカモジュール３９ｂのカバーの一例である。また、フロントマスク２１の前壁１１には、スピーカモジュール３９ｂが収容される切欠部３０ｐが設けられている。
【００８９】
このため、本実施形態によれば、一例としては、切欠部３０ｐによって当該切欠部３０ｐが設けられていない部分に比べて剛性あるいは強度が低くなった部分を、部材３０ｍによって補強することができる。
【００９０】
次に、図１７を参照して、変形例に係る筐体４を説明する。図１７に示すように、本変形例では、フロントマスク２１の前壁１１は、パネル７の前面７ａよりも突出している。この場合、突出した前壁１１によって、パネル７やディスプレイ６が保護されやすい。また、本変形例及び上記実施形態のいずれにおいても、図１７に示すように、リアカバー２２の側面２２ｃは、フロントマスク２１によって覆われなくてもよい。
【００９１】
このような構成によれば、第１実施形態と同様に、ディスプレイ６の保護及び筐体４の堅牢性の向上を図ることができる。さらに、ディスプレイ６よりも厚い突出部２４を設けることで、筐体４の堅牢性の向上をさらに図ることができる。
【００９２】
（第３実施形態）  
次に、図１８を参照して、第３実施形態に係る電子機器３１について説明する。なお、第１及び第２実施形態の構成と同一または類似の機能を有する構成は、同一の符号を付してその説明を省略する。また、下記に説明する以外の構成は、第２実施形態と同じである。
【００９３】
図１８に示すように、本実施形態では、支持部２６の側面２６ｃは、第１係合部３７（第１接合部、第１接続部）を有する。第１係合部３７は、例えば突出部２４の第２部分２４ｂに向いて突出した凸部であるが、凹部でもよい。突出部２４の第２部分２４ｂは、第１係合部３７に係合する第２係合部３８（第２接合部、第２接続部）を有する。第２係合部３８は、例えば第１係合部３７の凸部を受ける凹部であるが、支持部２６に向いて突出した凸部でもよい。
【００９４】
本実施形態では、フロントマスク２１と支持部２６とは、例えばインサート成形で一体に設けられる。つまり、第１係合部３７を有した支持部２６が金型内にセットされた状態で、フロントマスク２１が射出成型される。これにより、プラスチック製のフロントマスク２１と金属製の支持部２６とが一体に形成される。
【００９５】
このような構成によれば、第１実施形態と同様に、ディスプレイ６の保護及び筐体４の堅牢性の向上を図ることができる。さらに、本実施形態では、フロントマスク２１と支持部２６とが一体に設けられる。このような構成によれば、突出部２４によって支持部２６をさらに安定して支持することができる。インサート成形によれば、ねじのような固定部材を取り付ける必要が無く、電子機器３１の薄型化を図ることができる。
【００９６】
（第４実施形態）  
次に、図１９を参照して、第４実施形態に係る電子機器３１について説明する。なお、第１乃至第３実施形態の構成と同一または類似の機能を有する構成は、同一の符号を付してその説明を省略する。また、下記に説明する以外の構成は、第２実施形態と同じである。
【００９７】
図１９に示すように、本実施形態では、突出部２４は、ディスプレイ６の前面６ａよりも後方に位置する。突出部２４は、ディスプレイ６の背面６ｂと略平行な方向で、側壁１３の内面から筐体４の内側に突出している。
【００９８】
支持部２６は、第１部分４１と、第２部分４２とを有する。第１部分４１は、ディスプレイ６の背面６ｂの少なくとも中央部分６ｂａに面し、ディスプレイ６の背面６ｂの少なくとも中央部分６ｂａを支持する。第１部分４１は、例えばディスプレイ６の背面６ｂと略平行な板部である。第１部分４１の少なくとも一部は、第２開口部２５に挿入され、第２開口部２５の内側に位置する。
【００９９】
第２部分４２（係り部、保持部、取付部、固定部）は、第１部分４１に対して段差を有し、第１部分４１よりも前方に位置する。第２部分４２は、第１部分４１から前方に突出し（起立し）、ディスプレイ６の側面６ｃに面する部分を有する。第２部分４２は、ディスプレイ６の側方で、ディスプレイ６の背面６ｂと略平行に延びている。第２部分４２は、ディスプレイ６の側方で、筐体４の側壁１３の内面１３ａに向けて延びている。
【０１００】
第２部分４２は、パネル７の周端部と突出部２４との間に位置する。詳しく述べると、第２部分４２は、パネル７の周端部の背面７ｂと、突出部２４の第１面３５ａとの間に位置する。第２部分４２は、パネル７と突出部２４との間に挟まれている。第２部分４２は、例えば突出部２４に固定されている。これにより、突出部２４によって支持部２６が支持されている。パネル７は、例えば第２部分４２に固定されている。
【０１０１】
このような構成によれば、第１実施形態と同様に、ディスプレイ６の保護及び筐体４の堅牢性の向上を図ることができる。さらに、本実施形態では、支持部２６は、パネル７と突出部２４との間に位置した係り部（第２部分４２）を有する。このような構成によれば、突出部２４によって支持部２６をさらに安定して支持することができる。これにより、ディスプレイ６の保護をさらに図ることができる。
【０１０２】
（第５実施形態）  
次に、図２０を参照して、第５実施形態に係る電子機器３１について説明する。なお、第１乃至第４実施形態の構成と同一または類似の機能を有する構成は、同一の符号を付してその説明を省略する。また、下記に説明する以外の構成は、第３実施形態と同じである。
【０１０３】
図２０に示すように、本実施形態では、電子機器３１は、部品４４を有する。部品４４は、支持部２６の第２部分４２に取り付けられている。第２部分４２は、リアカバー２２に面する取付面（支持面）４２ａを有する。部品４４は、第２部分４２の取付面４２ａに取り付けられ、リアカバー２２に面する。部品４４は、第２部分４２とリアカバー２２の間に位置する。
【０１０４】
突出部２４は、部品４４が挿入される取付部４５を有する。取付部４５は、突出部２４に設けられた開口部（貫通孔、穴、孔）、切欠き部、またはその他の構造である。部品４４は、取付部４５に位置し、ディスプレイ６の背面６ｂと略平行な方向で突出部２４と並ぶ。部品４４の一例は、アンテナ、カメラ、コネクタ、外部コネクタ（外部Ｉ／Ｏコネクタ）であるが、これに限定されるものではない。
【０１０５】
このような構成によれば、第１実施形態と同様に、ディスプレイ６の保護及び筐体４の堅牢性の向上を図ることができる。さらに、本実施形態では、電子機器３１は、支持部２６の第２部分４２に取り付けられて第２部分４２とリアカバー２２の間に位置した部品４４を有する。このような構成によれば、パネル７の近くに部品４４が配置されるので、筐体４（電子機器３１）の薄型化を図ることができる。
【０１０６】
（第６実施形態）  
次に、図２１を参照して、第６実施形態に係る電子機器３１について説明する。なお、第１乃至第５実施形態の構成と同一または類似の機能を有する構成は、同一の符号を付してその説明を省略する。また、下記に説明する以外の構成は、第２実施形態と同じである。
【０１０７】
図２１に示すように、本実施形態では、支持部２６は、フロントマスク２１の一部で構成されている。支持部２６は、突出部２４の第２部分２４ｂと一体に設けられ、第２部分２４ｂに繋がっている。これにより、支持部２６は、突出部２４によって支持されている。
【０１０８】
このような構成によれば、第１実施形態と同様に、ディスプレイ６の保護及び筐体４の堅牢性の向上を図ることができる。さらに、本実施形態では、支持部２６は、フロントマスク２１の一部で構成されている。このため、例えば板金部材を省略することができ、電子機器３１の製造コストや組立性の向上を図ることができる。
【０１０９】
（第７実施形態）  
次に、図２２を参照して、第７実施形態に係る電子機器３１について説明する。なお、第１乃至第６実施形態の構成と同一または類似の機能を有する構成は、同一の符号を付してその説明を省略する。また、下記に説明する以外の構成は、第２実施形態と同じである。
【０１１０】
図２２に示すように、本実施形態では、ディスプレイ６の背面６ｂと支持部２６との間に弾性部５１（弾性部材、緩衝部、緩衝部材）が設けられている。弾性部５１は、例えばスポンジであるが、これに限定されるものではない。弾性部５１は、例えばインシュレータであり、絶縁性を有する。
【０１１１】
このような構成に電子機器によれば、第１実施形態と同様に、ディスプレイ６の保護及び筐体４の堅牢性の向上を図ることができる。さらに、本実施形態では、ディスプレイ６と支持部２６との間に弾性部５１が設けられている。このような構成によれば、例えばユーザの操作時に表示部５の前面に加えられた押圧力の一部を弾性部５１によって吸収することができる。このため、ディスプレイ６のさらなる保護を図ることができる。
【０１１２】
（第８実施形態）  
次に、図２３を参照して、第８実施形態に係る電子機器３１について説明する。なお、第１乃至第７実施形態の構成と同一または類似の機能を有する構成は、同一の符号を付してその説明を省略する。また、下記に説明する以外の構成は、第４実施形態と同じである。
【０１１３】
図２３に示すように、本実施形態では、ディスプレイ６は、パネル７に固定されていない。ディスプレイ６は、パネル７から離れて、支持部２６に支持されている。パネル７とディスプレイ６との間には、隙間ｇ（エアギャップ）が設けられている。ディスプレイ６と支持部２６との間には、接着部５５（接着層）が設けられている。接着部５５の一例は、両面テープである。なお、パネル７と支持部２６との間にも、接着部５５が設けられている。
【０１１４】
このような構成に電子機器によれば、第１実施形態と同様に、ディスプレイ６の保護及び筐体４の堅牢性の向上を図ることができる。
【０１１５】
（第９実施形態）  
次に、図２４を参照して、第９実施形態に係る電子機器３１について説明する。なお、第１乃至第８実施形態の構成と同一または類似の機能を有する構成は、同一の符号を付してその説明を省略する。また、下記に説明する以外の構成は、第８実施形態と同じである。
【０１１６】
図２４に示すように、本実施形態では、ディスプレイ６と支持部２６との間に第１弾性部６１（弾性部材、緩衝部、緩衝部材）が設けられている。第１弾性部６１の一例は、スポンジであるが、これに限定されるものではない。第１弾性部６１は、ディスプレイ６の背面６ｂと支持部２６の間に位置した第１部分と、ディスプレイ６の側面６ｃと支持部２６との間に位置した第２部分とを有する。
【０１１７】
本実施形態では、さらに、ディスプレイ６とパネル７との間に第２弾性部６２（弾性部材、緩衝部、緩衝部材）が設けられている。第２弾性部６２の一例は、スポンジであるが、これに限定されるものではない。第２弾性部６２は、ディスプレイ６の周端部の前面６ａとパネル７の背面７ｂとの間に位置する。
【０１１８】
このような構成によれば、第１実施形態と同様に、ディスプレイ６の保護及び筐体４の堅牢性の向上を図ることができる。さらに、本実施形態では、ディスプレイ６と支持部２６との間に第１弾性部６１が設けられている。さらに、パネル７とディスプレイ６との間に第２弾性部６２が設けられている。このような構成によれば、例えばユーザの操作時に表示部５の前面に加えられた押圧力の一部を弾性部６１，６２によって吸収することができる。このため、ディスプレイ６のさらなる保護を図ることができる。
【０１１９】
（第１０実施形態）  
次に、図２５を参照して、第１０実施形態に係る電子機器３１について説明する。なお、第１乃至第９実施形態の構成と同一または類似の機能を有する構成は、同一の符号を付してその説明を省略する。また、下記に説明する以外の構成は、第６実施形態と同じである。
【０１２０】
図２５に示すように、本実施形態では、ディスプレイ６は、パネル７に固定されていない。ディスプレイ６は、パネル７から離れて、支持部２６に支持されている。パネル７とディスプレイ６との間には、隙間ｇ（エアギャップ）が設けられている。
【０１２１】
このような構成によれば、第１及び第６実施形態と同様に、ディスプレイ６の保護及び筐体４の堅牢性の向上を図ることができる。
【０１２２】
（第１１実施形態）  
次に、図２６を参照して、第１１実施形態に係る電子機器３１について説明する。なお、第１乃至第１０実施形態の構成と同一または類似の機能を有する構成は、同一の符号を付してその説明を省略する。また、下記に説明する以外の構成は、第６実施形態と同じである。
【０１２３】
図２６に示すように、本実施形態では、第９の実施形態と同様に、ディスプレイ６と支持部２６との間に第１弾性部６１（弾性部材、緩衝部、緩衝部材）が設けられている。第１弾性部６１の一例は、スポンジであるが、これに限定されるものではない。第１弾性部６１は、ディスプレイ６の背面６ｂと支持部２６の間に位置した第１部分と、ディスプレイ６の側面６ｃと支持部２６との間に位置した第２部分とを有する。
【０１２４】
本実施形態では、さらに、ディスプレイ６とパネル７との間に第２弾性部（弾性部材、緩衝部、緩衝部材）が設けられている。第２弾性部６２の一例は、スポンジであるが、これに限定されるものではない。第２弾性部６２は、ディスプレイ６の周端部の前面６ａとパネル７の背面７ｂとの間に位置する。
【０１２５】
次に、第１乃至第１１の実施形態のいずれにも適用可能な表示部５のいくつかの変形例を示す。表示部５の第１例は、ガラスパネル、タッチパネル、透光性接着部、液晶ディスプレイを有する。表示部５の第２例は、第１例に係る表示部５のガラスパネルをプラスチックパネルに変更し、液晶ディスプレイを有機ＥＬディスプレイに変更したものである。つまり、第２例に係る表示部５は、プラスチックパネル、タッチパネル、透光性接着部、及び有機ＥＬディスプレイを有する。
【０１２６】
第３例に係る表示部５は、タッチセンサが設けられたプラスチックパネル、透光性接着部、及び有機ＥＬディスプレイを有する。第４例に係る表示部５は、第１例に係る表示部５のガラスパネルを無くし、インセルタッチパネル形式を採用したものである。第４例に係る表示部５は、タッチセンサが設けられた有機ＥＬディスプレイを有する。
【０１２７】
このような構成によれば、第１及び第９実施形態と同様に、ディスプレイ６の保護及び筐体４の堅牢性の向上を図ることができる。
【０１２８】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、いくつかのテレビジョン受像機及び電子機器を付記する。
[１]、(i)表示部と、(ii)前記表示部の背面を覆うリアカバーと、(iii)前記表示部と前記リアカバーとの間に位置し、前記表示部の背面の少なくとも中央部分を支持する支持部と、(iv)前記表示部の前面が露出した開口部が設けられた前壁と、該前壁から前記リアカバーに向いて延びて前記リアカバーの側面を覆う側壁と、を有して外部に露出されたフロントマスクと、(v)前記側壁の内面から突出した前記フロントマスクの一部であって、前記表示部の側面に面した第１部分と、該第１部分から前記表示部の背面よりも前記リアカバー側に突出した第２部分と、を有して前記表示部と前記支持部とを支持した突出部と、を有したテレビジョン受像機。
[２]、[１]の記載において、前記支持部は、前記第２部分によって支持されたテレビジョン受像機。
[３]、[１]または[２]の記載において、前記突出部は、前記側壁の内面に沿って環状に設けられ、前記支持部の少なくとも一部は、前記環状の突出部が規定した開口部の内側に位置したテレビジョン受像機。
[４]、[１]または[３]の記載において、前記表示部と前記支持部との間に弾性部をさらに有したテレビジョン受像機。
[５]、[１]または[２]の記載において、前記支持部は、前記フロントマスクの一部によって構成され、前記第２部分と一体に設けられたテレビジョン受像機。
[６]、(i)表示部と、(ii)前記表示部の背面を覆うリアカバーと、(iii)前記表示部と前記リアカバーとの間に位置し、前記表示部の背面を支持する支持部と、(iv)前記表示部の前面が露出した開口部が設けられた前壁と、該前壁から前記リアカバーに向いて延びた側壁と、を有したフロントマスクと、(v)前記側壁の内面から突出した前記フロントマスクの一部であって、前記支持部の一部よりも前記リアカバー側に位置した部分を含み、前記表示部を支持した突出部と、を有した電子機器。
[７]、[６]の記載において、前記突出部は、前記側壁の内面に沿って環状に設けられ、
前記支持部の少なくとも一部は、前記環状の突出部が規定した開口部の内側に位置した電子機器。
[８]、[６]または[７]の記載において、前記表示部は、ディスプレイと、該ディスプレイの前面に面した透光性のパネルとを有し、前記支持部は、前記パネルと前記突出部との間に位置した係り部を有した電子機器。
[９]、[８]の記載において、前記係り部に取り付けられ、前記係り部と前記リアカバーとの間に位置した部品をさらに有した電子機器。
[１０]、(i)表示部と、(ii)前記表示部の背面を覆うリアカバーと、(iii)前記表示部と前記リアカバーとの間に位置し、前記表示部の背面を支持する支持部と、(iv)前記表示部の前面が露出した開口部が設けられ、外部に露出されたフロントマスクと、(v)前記フロントマスクの一部であって、前記表示部の側面に面した第１部分と、前記支持部の側面に面した第２部分と、を有して前記表示部を支持した突出部と、を有した電子機器。
【符号の説明】
【０１２９】
１…テレビジョン受像機、４…筐体、５…表示部、６…ディスプレイ、６ａ…前面、６ｂ…背面、６ｃ…側面、１１…前壁、１２…背壁、１３…側壁、１３ａ…内面、１４…開口部、２１…フロントマスク、２２…リアカバー、２４…突出部、２４ａ…第１部分、２４ｂ…第２部分、２５…開口部、２６…支持部、３１…電子機器。
【図１】
0005417478.tif 000002
【図２】
0005417478.tif 000003
【図３】
0005417478.tif 000004
【図４】
0005417478.tif 000005
【図５】
0005417478.tif 000006
【図６】
0005417478.tif 000007
【図７】
0005417478.tif 000008
【図８】
0005417478.tif 000009
【図９】
0005417478.tif 000010
【図１０】
0005417478.tif 000011
【図１１】
0005417478.tif 000012
【図１２】
0005417478.tif 000013
【図１３】
0005417478.tif 000014
【図１４】
0005417478.tif 000015
【図１５】
0005417478.tif 000016
【図１６】
0005417478.tif 000017
【図１７】
0005417478.tif 000018
【図１８】
0005417478.tif 000019
【図１９】
0005417478.tif 000020
【図２０】
0005417478.tif 000021
【図２１】
0005417478.tif 000022
【図２２】
0005417478.tif 000023
【図２３】
0005417478.tif 000024
【図２４】
0005417478.tif 000025
【図２５】
0005417478.tif 000026
【図２６】
0005417478.tif 000027